(57)【要約】【課題】電動送風機の効率が低下することを十分に防止できるとともに、電気掃除機の吸込み力を向上させることができる電気掃除機の提供。【解決手段】電動送風機を内蔵する電動送風機室と集塵部を有する集塵室との間に配置された第１の開口部を有する分離壁と、集塵室と分離壁との間に配置され、第１の開口部と連通する第２の開口部を有する固定枠体と、を備え、第１の開口部には、電動送風機の中心軸と同心に形成された第１の格子と、第１の格子の内側に設けられた第２の格子と、が設けられ、第２の開口部には、電動送風機の中心軸と同心に形成された第３の格子が設けられ、第１の格子は、電動送風機の吸気口の大きさと略同一大きさとなるように形成され、第３の格子は、第１の格子の大きさ以上の大きさとなるように形成され、第２の格子は、第１の格子の内側において交点を有しない格子形状となるように形成されている電気掃除機。【選択図】図４
2013048725.tif 000002
【特許請求の範囲】
【請求項１】
空気を吸引する吸気口を有するとともに吸引風を発生させる電動送風機を内蔵する電動送風機室と、
前記電動送風機室の上流側に配置されており、前記電動送風機で発生された吸引風によって吸引された塵埃を捕集する集塵部を有する集塵室と、
前記電動送風機室と前記集塵室との間に配置されており、前記電動送風機室と前記集塵室とを連通する第１の開口部を有する分離壁と、
前記集塵室と前記分離壁との間に配置されており、前記第１の開口部と連通する第２の開口部を有する固定枠体と、
前記分離壁と前記固定枠体との間に配置されるとともに前記第１の開口部の上流側を覆う通気性を有するフィルタ部材と、
を備え、
前記第１の開口部には、前記電動送風機の中心軸と同心に形成されるとともに前記電動送風機の前記吸気口と略同一の形状に形成された第１の格子と、前記第１の格子の内側に設けられた第２の格子と、が設けられており、
前記第２の開口部には、前記電動送風機の中心軸と同心に形成されるとともに前記電動送風機の前記吸気口と略同一の形状に形成された第３の格子が設けられており、
前記第１の格子は、前記電動送風機の前記吸気口の大きさと略同一大きさとなるように形成されており、
前記第３の格子は、前記第１の格子の大きさ以上の大きさとなるように形成されており、
前記第２の格子は、前記第１の格子の内側において交点を有しない格子形状となるように形成されている、
電気掃除機。
【請求項２】
前記第１の格子の外側には、放射状の第４の格子が設けられており、前記第３の格子の外側には、放射状の第５の格子が設けられており、前記第５の格子は、前記第４の格子と対向する位置に形成されている請求項１に記載の電気掃除機。
【請求項３】
前記第３の格子の内側の前記第２の格子と対向する位置には、第６の格子が形成されている請求項１または２に記載の電気掃除機。
【発明の詳細な説明】
【技術分野】
【０００１】
本発明は、電気掃除機に関する。
【背景技術】
【０００２】
従来、この種の電気掃除機においては、電動送風機で発生された吸引風によって吸引された塵埃を捕集する集塵部を通過した塵埃を捕集すべく、電動送風機を内蔵する電動送風機室と集塵部が取付けられる集塵室との間に形成された隔壁と集塵室との間にフィルタを配置する構成が提案されている（例えば、特許文献１参照）。
【０００３】
すなわち、図９に示すように、従来の電気掃除機（図示せず）の掃除機本体２００の後部には、吸引風を発生させる電動送風機（図示せず）を内蔵する送風機室２０１が形成されている。また、掃除機本体２００の前部には、電動送風機（図示せず）で発生された吸引風によって吸引された塵埃を捕集する集塵部（図示せず）が取付けられる集塵室２０２が形成されている。
【０００４】
送風機室２０１と集塵室２０２との間には、掃除機本体２００内において送風機室２０１と集塵室２０２とを仕切る隔壁２０３が形成されており、この隔壁２０３には、送風機室２０１と集塵室２０２とを連通する連通部２０４が形成されている。また、連通部２０４には、縦横の桟２０５が格子状に設けられている。
【０００５】
隔壁２０３に形成された連通部２０４の集塵室２０２側には、集塵部（図示せず）を通過した塵埃を捕集するフィルタ部材２０６と、このフィルタ部材２０６を保持する部材ホルダ２０７と、を備えたフィルタ２０８が配置されている。部材ホルダ２０７は、枠体部２０７ａ及びこの枠体部２０７ａの内側に一体に設けられた格子２０７ｂとから構成されており、格子２０７ｂは縦横に交叉した複数の桟で形成されている。
【先行技術文献】
【特許文献】
【０００６】
【特許文献１】特開２０１１−１４７５５８号公報
【発明の概要】
【発明が解決しようとする課題】
【０００７】
しかしながら、上記従来の電気掃除機においては、電気掃除機の吸込み力を向上させるという観点からは未だ改善の余地があった。
【０００８】
すなわち、集塵部で塵埃が捕集されたあとの吸引風は、連通部から電動送風機の吸気口に向かって流れるため、集塵部で塵埃が捕集されたあとの吸引風を電動送風機の吸気口に効率よく導くことで、電動送風機の効率を向上させることができる。
【０００９】
上記従来の電気掃除機においては、連通部の縦方向に形成された桟と連通部の横方向に形成された桟とによって格子が形成されているとともに、連通部の集塵室側に配置された部材ホルダの枠部材の内部に、枠部材の縦方向に形成された桟と枠部材の横方向に形成された桟とによって格子が形成されている構成となっている。そのため、連通部の縦方向に形成された桟と連通部の横方向に形成された桟との交点、及び、枠部材の縦方向に形成された桟と枠部材の横方向に形成された桟との交点によって、電動送風機の吸気口付近に吸引風の流れが不均一となる部分が発生し、乱流が生じることで、電動送風機の吸気口付近で圧力損失が発生してしまうため、電動送風機の効率が低減し、電動送風機の吸込み力が
低下してしまう場合があった。
【００１０】
上記従来の電気掃除機においては、縦横の桟によって連通部に形成された格子の形状と、縦横に交叉した複数の桟によって部材ホルダの枠部材の内側に形成された格子の形状と、が異なる形状となっているため、集塵室側から部材ホルダ及び連通部をみた際に、連通部に形成された格子形状と部材ホルダの枠部材の内側に形成された格子の形状とによって電動送風機の吸気口付近に交点が形成されてしまう。そのため、連通部に形成された格子形状と部材ホルダに形成された格子の形状とによって形成された交点によって、電動送風機の吸気口付近に吸引風の流れが不均一となる部分が発生し、乱流が生じることで、電動送風機の吸気口付近で圧力損失が発生してしまうため、電動送風機の効率が低下し、電動送風機の吸込み力が低下してしまう場合があった。
【００１１】
本発明は、上記従来技術の有する課題に鑑みてなされたものであり、電動送風機の吸気口付近において乱流が発生することを十分に防止でき、電動送風機の吸気口付近で発生する圧力損失を十分に低減でき、電気掃除機の吸込み力を向上させることができる電気掃除機を提供することを目的とする。
【課題を解決するための手段】
【００１２】
上記従来技術の有する課題を解決するために本発明は、空気を吸引する吸気口を有するとともに吸引風を発生させる電動送風機を内蔵する電動送風機室と、電動送風機室の上流側に配置されており、電動送風機で発生された吸引風によって吸引された塵埃を捕集する集塵部を有する集塵室と、電動送風機室と集塵室との間に配置されており、電動送風機室と集塵室とを連通する第１の開口部を有する分離壁と、集塵室と分離壁との間に配置されており、第１の開口部と連通する第２の開口部を有する固定枠体と、分離壁と固定枠体との間に配置されるとともに第１の開口部の上流側を覆う通気性を有するフィルタ部材と、を備え、第１の開口部には、電動送風機の中心軸と同心に形成されるとともに電動送風機の吸気口と略同一の形状に形成された第１の格子と、第１の格子の内側に設けられた第２の格子と、が設けられており、第２の開口部には、電動送風機の中心軸と同心に形成されるとともに電動送風機の吸気口と略同一の形状に形成された第３の格子が設けられており、第１の格子は、電動送風機の吸気口の大きさと略同一大きさとなるように形成されており、第３の格子は、第１の格子の大きさ以上の大きさとなるように形成されており、第２の格子は、第１の格子の内側において交点を有しない格子形状となるように形成されている電気掃除機を提供する。
【００１３】
これにより、第１の格子は、電動送風機の吸気口の大きさと略同一大きさとなるように形成されており、第３の格子は、第１の格子の大きさ以上の大きさとなるように形成されており、第２の格子は、第１の格子の内側において交点を有しない格子形状となるように形成されているため、第１の格子、第２の格子、及び、第３の格子によって電動送風機の吸気口の近傍に交点が形成されることがないため、電動送風機の吸気口付近において乱流が発生することを十分に防止できるとともに、電動送風機の吸気口付近で発生する圧力損失を十分に低減できる。そのため、電動送風機の効率が低下することを十分に防止でき、電気掃除機の吸込み力を向上させることができる。
【発明の効果】
【００１４】
本発明の電気掃除機によれば、電動送風機の吸気口付近において乱流が発生することを十分に防止できるとともに、電動送風機の吸気口付近で発生する圧力損失を十分に低減できるため、電動送風機の効率が低下することを十分に防止でき、電気掃除機の吸込み力を向上させることができるようになる。
【図面の簡単な説明】
【００１５】
【図１】本発明の電気掃除機の実施の形態１における電気掃除機の全体側面図
【図２】（ａ）本発明の電気掃除機の実施の形態１における掃除機本体を示す全体側面図、（ｂ）図２（ａ）に示す掃除機本体のＡ−Ａ線での全体断面図
【図３】本発明の電気掃除機の実施の形態１における掃除機本体から集塵部を取り外した状態の掃除機本体を示す全体斜視図
【図４】本発明の電気掃除機の実施の形態１における掃除機本体から集塵部、固定枠体、及び、フィルタ部材を取り外した状態の掃除機本体を示す全体斜視図
【図５】本発明の電気掃除機の実施の形態１における分離壁及び固定枠体を示す拡大図
【図６】本発明の電気掃除機の実施の形態１における分離壁及び固定枠体を示す分解斜視図
【図７】本発明の電気掃除機の実施の形態１における分離壁を示す斜視図
【図８】本発明の電気掃除機の実施の形態１における固定枠体を示す斜視図
【図９】従来の電気掃除機の掃除機本体を示す全体斜視図
【発明を実施するための形態】
【００１６】
第１の発明は、空気を吸引する吸気口を有するとともに吸引風を発生させる電動送風機を内蔵する電動送風機室と、電動送風機室の上流側に配置されており、電動送風機で発生された吸引風によって吸引された塵埃を捕集する集塵部を有する集塵室と、電動送風機室と集塵室との間に配置されており、電動送風機室と集塵室とを連通する第１の開口部を有する分離壁と、集塵室と分離壁との間に配置されており、第１の開口部と連通する第２の開口部を有する固定枠体と、分離壁と固定枠体との間に配置されるとともに第１の開口部の上流側を覆う通気性を有するフィルタ部材と、を備え、第１の開口部には、電動送風機の中心軸と同心に形成されるとともに電動送風機の吸気口と略同一の形状に形成された第１の格子と、第１の格子の内側に設けられた第２の格子と、が設けられており、第２の開口部には、電動送風機の中心軸と同心に形成されるとともに電動送風機の吸気口と略同一の形状に形成された第３の格子が設けられており、第１の格子は、電動送風機の吸気口の大きさと略同一大きさとなるように形成されており、第３の格子は、第１の格子の大きさ以上の大きさとなるように形成されており、第２の格子は、第１の格子の内側において交点を有しない格子形状となるように形成されている電気掃除機としたものである。
【００１７】
これにより、第１の格子は、電動送風機の吸気口の大きさと略同一大きさとなるように形成されており、第３の格子は、第１の格子の大きさ以上の大きさとなるように形成されており、第２の格子は、第１の格子の内側において交点を有しない格子形状となるように形成されているため、第１の格子、第２の格子、及び、第３の格子によって電動送風機の吸気口の近傍に交点が形成されることがないため、電動送風機の吸気口付近において乱流が発生することを十分に防止できるとともに、電動送風機の吸気口付近で発生する圧力損失を十分に低減できる。そのため、電動送風機の効率が低下することを十分に防止でき、電気掃除機の吸込み力を向上させることができる。
【００１８】
第２の発明は、特に、第１の発明において、第１の格子の外側には、放射状の第４の格子が設けられており、第３の格子の外側には、放射状の第５の格子が設けられており、第５の格子は、第４の格子と対向する位置に形成されている構成としたものである。
【００１９】
これにより、第５の格子が第４の格子と対向する位置に形成されているため、第１の格子及び第３の格子の外側を通る吸引風を第４の格子及び第５の格子によって整流することができる。そのため、電動送風機の吸気口に吸引風を効率よく導くことができるため、電動送風機の効率を向上させることができるとともに、電気掃除機の吸込み力をさらに向上させることができる。
【００２０】
第３の発明は、特に、第１及び第２の発明において、第３の格子の内側の第２の格子と対向する位置には、第６の格子が形成されている構成としたものである。
【００２１】
これにより、第３の格子の内側を通る吸引風を第６の格子によって整流することができるとともに、第６の格子、及び、第２の格子と第６の格子とによって電動送風機の吸気口付近に交点が形成されることがないため、電動送風機の吸気口付近において乱流が発生することを十分に防止できるとともに、電動送風機の吸気口付近で発生する圧力損失を十分に低減できる。そのため、電動送風機の効率が低下することを十分に防止でき、電気掃除機の吸込み力を向上させることができる。
【００２２】
以下、図面を参照しながら本発明の電気掃除機の好適な実施形態について詳細に説明する。なお、以下の説明では、同一または相当部分には同一符号付し、重複する説明は省略する。
【００２３】
（実施の形態１）
本発明の電気掃除機の実施の形態１について、図１〜図８を用いて説明する。
【００２４】
図１は、本発明の電気掃除機の実施の形態１における電気掃除機の全体側面図である。また、図２（ａ）は、本発明の電気掃除機の実施の形態１における掃除機本体を示す全体側面図、図２（ｂ）は、図２（ａ）に示す掃除機本体のＡ−Ａ線での全体断面図である。さらに、図３は、本発明の電気掃除機の実施の形態１における掃除機本体から集塵部を取り外した状態の掃除機本体を示す全体斜視図である。また、図４本発明の電気掃除機の実施の形態１における掃除機本体から集塵部、固定枠体、及び、フィルタ部材を取り外した状態の掃除機本体を示す全体斜視図である。さらに、図５は、本発明の電気掃除機の実施の形態１における分離壁及び固定枠体を示す拡大図である。また、図６は、本発明の電気掃除機の実施の形態１における分離壁及び固定枠体を示す分解斜視図である。さらに、図７は、本発明の電気掃除機の実施の形態１における分離壁を示す斜視図である。また、図８は、本発明の電気掃除機の実施の形態１における固定枠体を示す斜視図である。
【００２５】
図１に示すように、電気掃除機１００は、吸引風を発生させる電動送風機（図示せず）を内蔵する掃除機本体１と、被清掃面の塵埃を吸引する吸込具２と、一端が掃除機本体１の吸引口１ａに着脱自在に接続されるホース３と、一端がホース３の他端に接続され、他端が吸込具２に接続される延長管４とから構成されている。また、ホース３の延長管４側には、使用者が保持する保持部５を有する手元操作部６が設けられている。
【００２６】
図２〜図４に示すように、掃除機本体１は、主として、空気を吸引する吸気口７ａを有するとともに吸引風を発生させる電動送風機７を内蔵する電動送風機室８と、電動送風機室８の上流側に配置されており、電動送風機７で発生された吸引風によって吸引された塵埃を捕集する集塵部９を有する集塵室１０と、電動送風機室８と集塵室１０との間に設けられ、電動送風機室８と集塵室１０とを仕切る分離壁１１と、集塵室１０と分離壁１１との間、すなわち、分離壁１１の上流側に配置された固定枠体１２と、分離壁１１と固定枠体１２との間に配置された通気性を有するフィルタ部材１３と、から構成されている。また、集塵室１０の上方には、集塵室１０の上方を開閉自在に覆う蓋体１４が掃除機本体１に回動自在に設けられており、集塵部９は、蓋体１４を開閉することにより、掃除機本体１から着脱できるよう構成されている。さらに、掃除機本体１の蓋体１４の後方には、使用者が掃除機本体１を持ち運ぶ際に保持する本体ハンドル１５が形成されている。また、掃除機本体１の後方の側面には、一対の走行用の車輪１６が掃除機本体１に回動自在に取付けられている。また、掃除機本体１の底面の前方には、走行用のキャスター１７が掃除機本体１に回動自在に取付けられている。
【００２７】
電動送風機７の前方には、吸引風を整流する案内ガイド１８が設けられている。この案内ガイド１８は、電動送風機７の前部に設けられた前部防振体１９によって挟持されている。また、電動送風機７の後部には後部防振体２０が設けられており、電動送風機７は、前部防振体１９及び後部防振体２０が、上下または左右に二分割に形成された電動送風機ケース２１によって挟持された状態で電動送風機室８に保持されている。
【００２８】
集塵部９は、主として、前部に掃除機本体１の吸引口１ａと連通する流入口２２ａを有するとともに後部に開口（図示せず）を有する集塵部本体２２と、集塵部本体２２の後部に集塵部本体２２の開口（図示せず）を開閉自在に覆うとともに、電動送風機７で発生された吸引風によって吸引された細塵を捕集するプリーツ状の細塵フィルタ２３を有する集塵蓋２４と、集塵部本体２２と集塵蓋２４との間に設けられており、電動送風機７で発生された吸引風によって吸引された粗塵を捕集する粗塵フィルタ２５と、から構成されている。また、集塵蓋２４及び粗塵フィルタ２５は集塵部本体２２に回動自在に取付けられている。
【００２９】
分離壁１１には、電動送風機室８と集塵室１０とを連通する第１の開口部１１ａが形成されている。また、分離壁１１の上流側、すなわち、分離壁１１の集塵室１０側には、第１の開口部１１ａと連通する第２の開口部１２ａを有する固定枠体１２が分離壁１１に着脱自在に取付けられている。さらに、分離壁１１の第１の開口部１１ａと固定枠体１２の第２の開口部１２ａとの間には、集塵部９の細塵フィルタ２３を通過した塵埃を捕集するフィルタ部材１３が第１の開口部１１ａを覆うように設けられており、このフィルタ部材１３は、分離壁１１と固定枠体１２とで挟持されている。
【００３０】
図５〜図７に示すように、分離壁１１に設けられた第１の開口部１１ａには、電動送風機７の中心軸Ｐと同心に形成されるとともに電動送風機７の吸気口７ａと略同一の形状、すなわち、略円形状に形成された第１の格子２６が設けられている。また、第１の格子２６は、その直径が電動送風機７の吸気口７ａの直径と略同一の大きさとなるように形成されている。さらに、第１の格子２６の内側には、縦格子状の第２の格子２７が等間隔に設けられている。また、第１の格子２６の外側には、第１の格子２６から第１の格子２６の外側に向かって放射状に延びる第４の格子２９が等間隔に設けられている。さらに、第１の格子２６の外側には、電動送風機７の中心軸Ｐと同心で、かつ、第１の格子２６の直径よりも大きさ直径を有する略円状の第７の格子３２が設けられており、第１の格子２６と第７の格子３２とは、第４の格子２９によって連結されている。
【００３１】
第７の格子３２の外側には、第７の格子３２から第７の格子３２の外側に向かって放射状に延びる第８の格子３３が等間隔に設けられている。また、第８の格子３３は、第１の格子２６の外側に等間隔に設けられた第４の格子２９間に位置するように配置されている。さらに、第７の格子３２の外側には、電動送風機７の中心軸Ｐと同心で、かつ、第７の格子３２の直径よりも大きさ直径を有する略円状の第９の格子３４が設けられており、第７の格子３２と第９の格子３４とは、第８の格子３３によって連結されている。
【００３２】
第９の格子３４の外側には、第９の格子３４から第９の格子３４の外周側に向かって放射状に伸びる第１０の格子３５が等間隔に設けられており、この第１０の格子３５によって、第９の格子３４と分離壁１１とが連結されている。第１０の格子３５は、その本数が第４の格子２９及び第８の格子３３の本数よりも多くなるように形成されている。また、第１の格子２６、第７の格子３２、及び、第９の格子３４は、等間隔に配置されている。
【００３３】
図５、図６、及び、図８に示すように、固定枠体１２に設けられた第２の開口部１２ａには、電動送風機７の中心軸Ｐと同心に形成されるとともに、電動送風機７の吸気口７ａと略同一形状、すなわち、略円形状に形成された第３の格子２８が設けられている。また
、第３の格子２８は、その直径が電動送風機７の吸気口７ａ及び第１の格子２６と略同一の大きさとなるように形成されている。さらに、第３の格子２８の内側は、開口（図示せず）となっており、格子形状が形成されていない形状となっている。
【００３４】
第３の格子２８の外側には、第３の格子２８から第３の格子２８の外側に向かって放射状に延びる第５の格子３０が等間隔に設けられており、この第５の格子３０は、分離壁１１の第１の開口部１１ａに設けられた第４の格子２９と対向する位置に設けられている。また、第３の格子２８の外側には、電動送風機７の中心軸Ｐと同心で、かつ、第３の格子２８の直径よりも大きさ直径を有する略円状の第１１の格子３６が設けられており、第３の格子２８と第１１の格子３６とは、第５の格子３０によって連結されている。さらに、第１１の格子３６は、第１の開口部１１ａに設けられた第９の格子３４と対向する位置に設けられている。
【００３５】
第１１の格子３６の外側には、第１１の格子３６から第１１の格子３６の外側に向かって放射状に延びる第１２の格子３７が等間隔に設けられており、この第１２の格子３７によって、第１１の格子３６と固定枠体１２とが連結されている。また、第１２の格子３７は、第１０の格子３５と対向する位置に形成されているとともに、その本数が第１０の格子３５よりも少なくなるように形成されている。また、第３の格子２８、及び、第９の格子３４は、等間隔に配置されている。
【００３６】
以上のように構成された電気掃除機について、以下、その動作、作用を説明する。
【００３７】
使用者が保持部５を保持し、電気掃除機１００の運転を開始すると、電動送風機７によって吸引風が発生され、吸引力が発生する。この状態で使用者が被清掃面上で吸込具２を動かすと、吸込具２から被清掃面上の塵埃が空気とともに吸引される。吸込具２から吸引された塵埃は、電動送風機７で発生された吸引風とともに、延長管４及びホース３を介して掃除機本体１の吸引口１ａから掃除機本体１の内部へ流入する。掃除機本体１の内部に流入した塵埃を含む吸引風は、集塵部９の流入口２２ａから集塵部９の内部へと流入する。集塵部９の内部に流入した塵埃を含む吸引風は、粗塵フィルタ２５を通過することで粗塵フィルタ２５で粗塵が捕集される。粗塵が除去された吸引風は、粗塵フィルタ２５の下流側に設けられた細塵フィルタ２３によって細塵が除去され、細塵が除去された吸引風が集塵部９の外部へお排出される。集塵部９から排出された吸引風は、固定枠体１２の第２の開口部１２ａ、フィルタ部材１３、及び、分離壁１１の第１の開口部１１ａを介して、集塵室１０から電動送風機室８内へと流入する。このとき、集塵部９を通過した塵埃がフィルタ部材１３で捕集される。そして、電動送風機室８内へと流入した吸引風は、案内ガイド１８に沿って電動送風機７の内部に吸引され、その後、掃除機本体１に外部へと排気される。
【００３８】
このとき、本実施の形態においては、第１の開口部１１ａに形成された第１の格子２６及び第２の開口部１２ａに設けられた第３の格子２８が電動送風機７の吸気口７ａと同心状で、かつ、その直径が電動送風機７の吸気口７ａの直径と略同一の直径で形成されているとともに、第１の格子２６の内側に設けられた第２の格子２７が縦格子状に形成されているため、第１の格子２６、第２の格子２７、及び、第３の格子２８によって電動送風機７の吸気口７ａの近傍に交点が形成されることがなく、電動送風機７の吸気口７ａ付近において乱流が発生することを十分に防止できるとともに、電動送風機７の吸気口７ａ付近で発生する圧力損失を十分に低減できる。そのため、電動送風機７の効率が低下することを十分に防止でき、電気掃除機１００の吸込み力を向上させることができる。
【００３９】
また、本実施の形態においては、第３の格子２８の外側に形成された第５の格子３０、第１１の格子３６、及び、第１２の格子３７が、それぞれ、第１の格子２６の外側に形成
された第４の格子２９、第９の格子３４、及び、第１０の格子３５と対向する位置に形成されているため、第１の格子２６及び第３の格子２８の外側を通る吸引風を、第５の格子３０、第１１の格子３６、第１２の格子３７、第４の格子２９、第９の格子３４、及び、第１０の格子３５によって整流することができ、電動送風機７の吸気口７ａに吸引風を効率よく導くことができるため、電動送風機７の効率を向上させることができるとともに、電気掃除機１００の吸込み力をさらに向上させることができる。
【００４０】
以上、本発明の電気掃除機の実施の形態１について説明したが、本発明の電気掃除機は上述した実施の形態１の構成に限定されるものではない。
【００４１】
例えば、本発明の実施の形態１においては、第３の格子２８の内側に、格子形状が設けられていない形態について説明したが、第３の格子２８の内側には、格子形状が設けられていてもよい。第３の格子２８の内側に格子形状を形成する場合においては、第１の開口部１１ａの第１の格子２６の内側に設けた縦格子状の第２の格子２７と対向する位置に、第２の格子２７と同一形状を有する縦格子状の第６の格子（図示せず）を形成することが好ましい。また、第６の格子（図示せず）を形成する本数については、第２の格子２７と同一本数であってもよく、また、第２の格子２７の本数よりも少なくてもよい。第３の格子２８の第２の格子２７と対向する位置に第６の格子（図示せず）を設けた場合においても、第１の格子２６、第２の格子２７、第３の格子２８、及び、第６の格子（図示せず）によって電動送風機７の吸気口７ａの近傍に交点が形成されることがなく、電動送風機７の吸気口７ａ付近において乱流が発生することを十分に防止できるとともに、電動送風機７の吸気口７ａ付近で発生する圧力損失を十分に低減できる。そのため、電動送風機７の効率が低下することを十分に防止でき、電気掃除機１００の吸込み力を向上させることができる。
【００４２】
また、本発明の実施の形態１においては、第９の格子３４と対向する位置に第１１の格子３６を形成した構成について説明したが、第１１の格子３６は、第７の格子３２と対向する位置に設けられていてもよく、この構成において、第１２の格子は、第８の格子３３、または、第１０の格子３５と対向する位置に形成されていればよい。この構成においても、第１の格子２６及び第３の格子２８の外側を通る吸引風を、第５の格子３０、第１１の格子３６、第１２の格子３７、第４の格子２９、第９の格子３４、及び、第１０の格子３５によって整流することができ、電動送風機７の吸気口７ａに吸引風を効率よく導くことができるため、電動送風機７の効率を向上させることができるとともに、電気掃除機１００の吸込み力をさらに向上させることができる。
【００４３】
さらに、本発明の実施の形態１においては、第１の格子２６の内側に縦格子状に第２の格子２７を形成した構成について説明したが、第２の格子２７は第１の格子２６の内側、すなわち、電動送風機７の吸気口７ａ付近に交点を有しないように、複数の格子が平行に配置された形状であればよく、例えば、第２の格子２７は横格子状に形成されていてよい。この構成においても、第１の格子２６、第２の格子２７、及び、第３の格子２８によって電動送風機７の吸気口７ａの近傍に交点が形成されることがなく、電動送風機７の吸気口７ａ付近において乱流が発生することを十分に防止できるとともに、電動送風機７の吸気口７ａ付近で発生する圧力損失を十分に低減できる。そのため、電動送風機７の効率が低下することを十分に防止でき、電気掃除機１００の吸込み力を向上させることができる。
【００４４】
また、本発明の実施の形態１においては、第３の格子２８の直径が第１の格子２６の直径と略同一の大きさとなるように形成した構成について説明したが、第３の格子２８の直径は第１の格子２６の直径以上の大きさに形成されていればよい。この構成においても、第１の格子２６、第２の格子２７、及び、第３の格子２８によって電動送風機７の吸気口
７ａの近傍に交点が形成されることがなく、電動送風機７の吸気口７ａ付近において乱流が発生することを十分に防止できるとともに、電動送風機７の吸気口７ａ付近で発生する圧力損失を十分に低減できる。そのため、電動送風機７の効率が低下することを十分に防止でき、電気掃除機１００の吸込み力を向上させることができる。
【００４５】
さらに、本実施の形態においては、第１の格子２６、第２の格子２７、第４の格子２９、第７の格子３２、第８の格子３３、第９の格子３４、及び、第１０の格子３５によって分離壁１１の第１の開口部１１ａに形成した格子形状と、第３の格子２８、第５の格子３０、第１１の格子３６、及び、第１２の格子３７によって固定枠体１２の第２の開口部１２ａに形成した格子形状とが異なる形状となるように形成されているが、分離壁１１の第１の開口部１１ａに形成された格子形状と、固定枠体１２の第２の開口部１２ａに形成された格子形状とは同一の形状であってもよい。この構成においても、電動送風機７の吸気口７ａの近傍に交点が形成されることがなく、電動送風機７の吸気口７ａ付近において乱流が発生することを十分に防止できるとともに、電動送風機７の吸気口７ａ付近で発生する圧力損失を十分に低減できるため、電動送風機７の効率が低下することを十分に防止でき、電気掃除機１００の吸込み力を向上させることができる。また、電動送風機７の吸気口７ａの外側を通る吸引風を整流することができるため、電動送風機７の吸気口７ａに吸引風を効率よく導くことができ、電動送風機７の効率を向上させることができるとともに、電気掃除機１００の吸込み力をさらに向上させることができる。
【産業上の利用可能性】
【００４６】
本発明の電気掃除機は、電動送風機の吸気口付近において乱流が発生することを十分に防止できるとともに、電動送風機の吸気口付近で発生する圧力損失を十分に低減できるため、電動送風機の効率が低下することを十分に防止でき、電気掃除機の吸込み力を向上させることができるようになるため、家庭用電気掃除機及び産業用電気掃除機の分野・用途に好適に適用することができる。
【符号の説明】
【００４７】
１  掃除機本体
１ａ  吸引口
２  吸込具
３  ホース
４  延長管
５  保持部
６  手元操作部
７  電動送風機
７ａ  吸気口
８  電動送風機室
９  集塵部
１０  集塵室
１１  分離壁
１１ａ  第１の開口部
１２  固定枠体
１２ａ  第２の開口部
１３  フィルタ部材
１４  蓋体
１５  本体ハンドル
１６  車輪
１７  キャスター
１８  案内ガイド
１９  前部防振体
２０  後部防振体
２１  電動送風機ケース
２２  集塵部本体
２２ａ  流入口
２３  細塵フィルタ
２４  集塵蓋
２５  粗塵フィルタ
２６  第１の格子
２７  第２の格子
２８  第３の格子
２９  第４の格子
３０  第５の格子
３２  第７の格子
３３  第８の格子
３４  第９の格子
３５  第１０の格子
３６  第１１の格子
３７  第１２の格子
１００  電気掃除機
【図１】
2013048725.tif 000003
【図２】
2013048725.tif 000004
【図３】
2013048725.tif 000005
【図４】
2013048725.tif 000006
【図５】
2013048725.tif 000007
【図６】
2013048725.tif 000008
【図７】
2013048725.tif 000009
【図８】
2013048725.tif 000010
【図９】
2013048725.tif 000011